(57)【特許請求の範囲】
【請求項１】
ＯＳＰＦ（Ｏｐｅｎ  Ｓｈｏｒｔｅｓｔ  Ｐａｔｈ  Ｆｉｒｓｔ）に準拠したネットワーク内の複数のノードから送信された複数のＬＳＡ（Ｌｉｎｋ  Ｓｔａｔｅ  Ａｄｖｅｒｔｉｓｅｍｅｎｔ）を取得するＬＳＡ取得部と、
前記複数のＬＳＡに基づいて、前記複数のノードのそれぞれの論理回線がダウンしたか否かを判定する論理回線判定部と、
前記論理回線がダウンしたと判定されたノードの設定情報に基づいて、前記論理回線に対応する物理回線を特定する物理回線特定部と、
前記複数のノードと、前記複数のノード間の伝送装置との物理的な接続構成を示す物理構成情報と、前記物理回線特定部によって特定された物理回線とに基づいて、前記ネットワーク内の物理的な支障箇所を判定する支障箇所判定部と、
前記支障箇所判定部によって判定された支障箇所を出力する出力部と、
前記ネットワーク内のメンテナンスのスケジュールを示すメンテナンス情報を取得するメンテナンス情報取得部と、
前記ＬＳＡ取得部が取得した前記複数のＬＳＡに基づいて、前記複数のノードのそれぞれのルーティングに関する設定値の変更情報を取得する変更情報取得部と
を備え、
前記メンテナンス情報は、前記複数のノードにおける前記ルーティングに関する設定値の変更値を含み、
前記出力部は、前記ルーティングに関する設定値が変更されたノードに関連する前記メンテナンス情報に含まれる前記変更値と前記変更情報が示す変更値とが一致しない場合に、前記メンテナンス情報及び前記変更情報を出力する、
判定装置。
【請求項２】
前記支障箇所判定部は、一の伝送装置に接続された複数の物理回線のうち全ての物理回線が前記物理回線特定部によって特定された場合、前記一の伝送装置に支障が発生していると判定し、前記一の伝送装置に接続された複数の物理回線のうち一部の物理回線のみが前記物理回線特定部によって特定された場合、前記一部の物理回線に支障が発生していると判定する、請求項１に記載の判定装置。
【請求項３】
前記支障箇所判定部は、前記一の伝送装置に接続された複数の物理回線のうち一部の物理回線のみが前記物理回線特定部によって特定された場合、前記一の伝送装置に接続された前記複数の物理回線のうちの他の物理回線を、支障が発生する可能性がある物理回線として判定する、請求項２に記載の判定装置。
【請求項４】
前記支障箇所判定部は、前記一の伝送装置に接続された複数の物理回線のうち、前記一の伝送装置が備える一の物理構成に接続された複数の物理回線のうち全ての物理回線が前記物理回線特定部によって特定された場合、前記一の物理構成に支障が発生していると判定する、請求項２又は３に記載の判定装置。
【請求項５】
前記出力部は、前記メンテナンス情報に基づいて、前記支障箇所判定部によって判定された支障箇所のうち、メンテナンスによって支障が発生している支障箇所については、メンテナンス以外によって支障が発生している支障箇所と識別して表示する、又は、非表示とする、請求項１から４のいずれか一項に記載の判定装置。
【請求項６】
前記出力部は、前記複数のノードのそれぞれを示す複数のノードオブジェクトを、前記複数のノードの位置情報に基づいて地図画像上に表示し、前記支障箇所判定部によって判定された支障箇所に対応するノードを識別表示する、請求項１から５のいずれか一項に記載の判定装置。
【請求項７】
コンピュータを、請求項１から６のいずれか一項に記載の判定装置として機能させるためのプログラム。
【発明の詳細な説明】
【技術分野】
【０００１】
本発明は、判定装置及びプログラムに関する。
【背景技術】
【０００２】
パケット中継装置において障害が発生したことを、Ｓｙｓｌｏｇによって通知するシステムが知られていた（例えば、特許文献１参照）。
［先行技術文献］
［特許文献］
［特許文献１］特開２００８−３０６４３５号公報
【発明の概要】
【発明が解決しようとする課題】
【０００３】
障害の発生をより正確に通知できることが望ましい。
【課題を解決するための手段】
【０００４】
本発明の第１の態様によれば、ＯＳＰＦ（Ｏｐｅｎ  Ｓｈｏｒｔｅｓｔ  Ｐａｔｈ  Ｆｉｒｓｔ）に準拠したネットワーク内の複数のノードから送信された複数のＬＳＡ（Ｌｉｎｋ  Ｓｔａｔｅ  Ａｄｖｅｒｔｉｓｅｍｅｎｔ）を取得するＬＳＡ取得部と、上記複数のＬＳＡに基づいて、上記複数のノードのそれぞれの論理回線がダウンしたか否かを判定する判定部と、上記論理回線がダウンしたと判定されたノードの設定情報に基づいて、上記論理回線に対応する物理回線を特定する物理回線特定部と、上記複数のノードと、上記複数のノード間の伝送装置との物理的な接続構成を示す物理構成情報と、上記物理回線特定部によって特定された物理回線とに基づいて、上記ネットワーク内の物理的な支障箇所を判定する支障箇所判定部とを備える判定装置が提供される。
【０００５】
上記支障箇所判定部は、一の伝送装置に接続された複数の物理回線のうち全ての物理回線が上記物理回線特定部によって特定された場合、上記一の伝送装置に支障が発生していると判定してよく、上記一の伝送装置に接続された複数の物理回線のうち一部の物理回線のみが上記物理回線特定部によって特定された場合、上記一部の物理回線に支障が発生していると判定してよい。上記支障箇所判定部は、上記一の伝送装置に接続された複数の物理回線のうち一部の物理回線のみが上記物理回線特定部によって特定された場合、上記一の伝送装置に接続された上記複数の物理回線のうちの他の物理回線を、支障が発生する可能性がある物理回線として判定してよい。
【０００６】
上記判定装置は、上記支障箇所判定部によって判定された上記支障箇所を出力する出力部をさらに備えてよい。上記判定装置は、上記ネットワーク内のメンテナンスのスケジュールを示すメンテナンス情報を取得するメンテナンス情報取得部をさらに備えてよく、上記出力部は、上記メンテナンス情報に基づいて、上記支障箇所判定部によって判定された支障箇所のうち、メンテナンスによって支障が発生している支障箇所については、メンテナンス以外によって支障が発生している支障箇所と識別して表示してよく、又は、非表示としてよい。上記出力部は、上記複数のノードのそれぞれを示す複数のノードオブジェクトを、上記複数のノードの位置情報に基づいて地図画像上に表示してよく、上記支障箇所判定部によって判定された支障箇所に対応するノードを識別表示してよい。上記出力部は、上記ＬＳＡ取得部が取得した上記複数のＬＳＡに基づいて取得した、ルーティングに関する設定値の変更情報をさらに出力してよい。
【０００７】
上記判定装置は、上記ネットワーク内のメンテナンスのスケジュールを示すメンテナンス情報を取得するメンテナンス情報取得部と、上記ＬＳＡ取得部が取得した上記複数のＬＳＡに基づいて、上記複数のノードのそれぞれのルーティングに関する設定値の変更情報を取得する変更情報取得部とをさらに備えてよく、上記出力部は、上記ルーティングに関する設定値が変更されたノードに関連するメンテナンス情報と、上記変更情報とを出力してよい。上記メンテナンス情報は、上記複数のノードにおける上記ルーティングに関する設定値の変更値を含んでよく、上記出力部は、上記ルーティングに関する設定値が変更されたノードに関連する上記メンテナンス情報に含まれる上記変更値と上記変更情報が示す変更値とが一致しない場合に、上記メンテナンス情報及び変更情報を出力してよい。
【０００８】
本発明の第２の態様によれば、コンピュータを、上記判定装置として機能させるためのプログラムが提供される。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】判定装置１００の通信環境の一例を概略的に示す。
【図２】判定装置１００の機能構成の一例を概略的に示す。
【図３】ネットワーク１０の一部の一例を概略的に示す。
【図４】表示画面５００の一例を概略的に示す。
【図５】表示画面５００の一例を概略的に示す。
【図６】表示画面５００の一例を概略的に示す。
【図７】判定装置１００による処理の流れの一例を概略的に示す。
【図８】判定装置１００による処理の流れの一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、判定装置１００の通信環境の一例を概略的に示す。判定装置１００は、ネットワーク１０内における支障が発生した支障箇所を判定する。ネットワーク１０は、ＯＳＰＦに準拠したネットワークである。支障箇所とは、ルータ及び伝送装置等のネットワーク１０を構成する機器の故障及び機器間を接続する物理回線の切断等である。
【００１３】
判定装置１００は、ネットワーク１０内に配置されたＬＳＡ受信装置２０と通信する。ＬＳＡ受信装置２０は、ネットワーク１０内で配布されるＬＳＡを受信する。そして、ＬＳＡ受信装置２０は、受信したＬＳＡを判定装置１００に送信する。
【００１４】
ＬＳＡ受信装置２０は、ＬＳＤＢ（Ｌｉｎｋ  Ｓｔａｔｅ  ＤａｔａＢａｓｅ）を有してよい。ＬＳＡ受信装置２０は、判定装置１００に対してＬＳＡを送信する専用の装置であってよい。また、ネットワーク１０内のいずれかのノードが、ＬＳＡ受信装置２０として機能してもよい。また、判定装置１００がネットワーク１０内に配置されて、ＬＳＡ受信装置２０として機能してもよい。
【００１５】
判定装置１００は、ＬＳＡ受信装置２０から受信したＬＳＡに基づいて、ネットワーク１０内の複数のノードのそれぞれの論理回線がダウンしたか否かを判定する。そして、判定装置１００は、論理回線がダウンしたと判定されたノードの設定情報に基づいて、当該論理回線に対応する物理回線を特定する。判定装置１００は、ネットワーク１０内の各ノードの設定情報を予め格納していてよい。判定装置１００は、ネットワーク１０内の各ノードから設定情報を受信して格納してよい。また、判定装置１００は、ネットワーク１０内の各ノードの設定情報を管理する装置が存在する場合、当該装置から各ノードの設定情報を受信して格納してもよい。一のノードの設定情報は、当該一のノードの物理ポート及び当該一のノードに接続された物理回線と、当該一のノードの論理回線との対応付けを含む。
【００１６】
判定装置１００は、ネットワーク１０内の複数のノードと、複数のノード間の伝送装置との物理的な接続構成を示す物理構成情報と、特定した物理回線とに基づいて、ネットワーク１０内の物理的な支障箇所を判定する。判定装置１００は、ネットワーク１０の物理構成情報を管理する物理構成情報管理装置３０から物理構成情報を受信してよい。なお、判定装置１００が、物理構成情報管理装置３０として機能してもよい。
【００１７】
判定装置１００は、判定した支障箇所を表示出力してよい。判定装置１００は、例えば、判定した支障箇所を文字情報として表示出力する。また、判定装置１００は、ネットワーク１０内の複数のノードのそれぞれを示す複数のノードオブジェクトを、複数のノードの位置情報に基づいて地図画像上に表示し、かつ、判定した支障箇所に対応するノードを識別表示することによって、支障箇所を表示出力してよい。ノードの位置情報とは、ノードの住所及び緯度経度情報等であってよい。
【００１８】
判定装置１００は、ネットワーク１０内のメンテナンスのスケジュールを示すメンテナンス情報を管理するメンテナンス情報管理装置４０と通信してよい。メンテナンス情報は、日時と、メンテナンス対象箇所と、メンテナンスの内容とを含んでよい。メンテナンス対象箇所は、ノード単位及びポート単位等で規定されていてよい。メンテナンスの内容は、例えば、ノードをダウンさせること、ポートをダウンさせること、ＯＳＰＦコスト値を変更すること、ＲＳＶＰ  ＢＷ（Ｒｅｓｏｕｒｃｅ  ｒｅＳｅｒＶａｔｉｏｎ  Ｐｒｏｔｏｃｏｌ  ＢａｎｄＷｉｄｔｈ）を変更すること等を含む。なお、判定装置１００がメンテナンス情報管理装置４０として機能してもよい。
【００１９】
判定装置１００は、判定した支障箇所を出力するか否かを、メンテナンス情報に基づいて決定してよい。例えば、判定装置１００は、判定した支障箇所のうち、メンテナンス情報が示すメンテナンスによって支障が発生している支障箇所は出力しない。
【００２０】
上述したように、本実施形態に係る判定装置１００は、ＯＳＰＦに準拠したネットワーク１０内で配布されるＬＳＡを取得して、当該ＬＳＡに基づいて、ネットワーク１０内の物理的な支障箇所を判定する。例えば、道路工事等で地中に埋設された多数の物理回線が切断されてしまった場合、支障が発生する論理回線の数が多くなってしまい、支障の状況を把握することが困難となる。従来は、Ｓｙｓｌｏｇによって障害の発生を通知する手段が取られていたが、ＳｙｓｌｏｇはＵＤＰ（Ｕｓｅｒ  Ｄａｔａｇｒａｍ  Ｐｒｏｔｏｃｏｌ）を用いており、再送制御が行われないことから、障害の発生を確実に通知先に伝えることができなかった。特に、多数の物理回線が切断されてしまったような場合には、多数のＳｙｓｌｏｇが同様のタイミングで送信されることになり、障害の発生を通知先に伝えられない現象がより顕著に発生してしまう。これに対して、ＯＳＰＦでは、ＬＳＡによって、ネットワーク１０内の全ノードが、全ノードの最新の状態を把握できるように制御されるので、ＬＳＡに基づいて支障箇所を判定する本実施形態に係る判定装置１００によれば、障害の発生をより正確に判定することができる。
【００２１】
図２は、判定装置１００の機能構成の一例を概略的に示す。判定装置１００は、ＬＳＡ取得部１０２、論理回線判定部１０４、設定情報取得部１０６、物理回線特定部１０８、物理構成情報取得部１１０、支障箇所判定部１１２、出力部１１４、メンテナンス情報取得部１１６及び変更情報取得部１１８を備える。なお、判定装置１００がこれらのすべての構成を備えることは必須とは限らない。
【００２２】
ＬＳＡ取得部１０２は、ネットワーク１０内で配布されるＬＳＡを取得する。ＬＳＡ取得部１０２は、ＬＳＡ受信装置２０からＬＳＡを受信してよい。
【００２３】
論理回線判定部１０４は、ＬＳＡ取得部１０２が取得したＬＳＡに基づいて、ネットワーク１０の複数のノードのそれぞれの論理回線がダウンしたか否かを判定する。論理回線判定部１０４は、ＬＳＡに含まれるＬＳＡヘッダ内のＬＳ  ａｇｅに基づいて、論理回線がダウンしたか否かを判定してよい。ＬＳ  ａｇｅは、ＬＳＡを生成してから現在までの経過時間を示す。例えば、論理回線判定部１０４は、ＬＳ  ａｇｅが、ＬＳ  ａｇｅの最大値を示すＭＡＸ  ａｇｅと等しい場合、当該ＬＳＡに対応するノードのすべての論理回線がダウンしたと判定する。ＭＡＸ  ａｇｅは、例えば、３６００秒である。
【００２４】
また、論理回線判定部１０４は、ＬＳＡに含まれるリンク情報に基づいて、論理回線がダウンしたか否かを判定してよい。リンク情報は、リンクＩＤ、リンクタイプ、リンクデータ及びメトリックを含む。ネットワーク１０内のルータによって生成されるＬＳＡは、当該ルータが保持する論理回線の数と同じ数のリンク情報を含む。論理回線判定部１０４は、例えば、一のルータから配布されて、ＬＳＡ受信装置２０を介して受信した旧ＬＳＡと、当該一のルータから新たに配布されて、ＬＳＡ受信装置２０を介して受信した新ＬＳＡとを比較して、旧ＬＳＡのみに含まれるリンク情報があった場合、そのリンク情報に対応する論理回線がダウンしたと判定する。
【００２５】
設定情報取得部１０６は、論理回線判定部１０４によって論理回線がダウンしたと判定されたノードの設定情報を取得する。設定情報取得部１０６は、予め設定情報を格納していた格納部から、論理回線がダウンしたと判定されたノードに対応する設定情報を取得してよい。
【００２６】
物理回線特定部１０８は、設定情報取得部１０６が取得した設定情報に基づいて、論理回線判定部１０４によってダウンしたと判定された論理回線に対応する物理回線を特定する。
【００２７】
物理構成情報取得部１１０は、物理構成情報管理装置３０から、ネットワーク１０の物理構成情報を取得する。物理構成情報取得部１１０は、物理回線特定部１０８によって特定された物理回線に関連する物理構成情報のみを取得してもよい。
【００２８】
支障箇所判定部１１２は、物理回線特定部１０８によって特定された物理回線と、物理構成情報取得部１１０によって取得された物理構成情報とに基づいて、ネットワーク１０内の物理的な支障箇所を判定する。例えば、支障箇所判定部１１２は、一の伝送装置に接続された複数の物理回線のうち全ての物理回線が物理回線特定部１０８によって特定された場合、当該一の伝送装置に支障が発生していると判定し、当該一の伝送装置に接続された複数の物理回線のうち一部の物理回線のみが物理回線特定部１０８によって特定された場合、当該一部の物理回線に支障が発生していると判定する。支障箇所判定部１１２は、一の伝送装置が備える一の物理構成に接続された複数の物理回線のうち全ての物理回線が物理回線特定部１０８によって特定された場合、当該物理構成に支障が発生していると判定してよい。一の伝送装置が備える物理構成とは、モジュール、パッケージ及び集積回路等であってよい。例えば、一の伝送装置が第１のポート及び第２のポートを管理する第１の集積回路と、第３のポート及び第４のポートを管理する第２の集積回路とを備える場合において、物理回線特定部１０８によって第３のポート及び第４のポートが特定された場合、支障箇所判定部１１２は、第２の集積回路に支障が発生していると判定する。
【００２９】
出力部１１４は、支障箇所判定部１１２によって判定された支障箇所を出力する。出力部１１４は、判定装置１００が提供するサービスを利用する利用者に対して支障箇所を出力してよい。
【００３０】
例えば、出力部１１４は、支障箇所を表示出力する。出力部１１４は、判定装置１００が備えるディスプレイに支障箇所を表示させてよい。また、出力部１１４は、他の装置が備えるディスプレイに支障箇所を表示させてよい。
【００３１】
出力部１１４は、ネットワーク１０内の複数のノードのそれぞれを示すノードオブジェクトを、当該複数のノードの位置情報に基づいて地図画像上に表示出力してよく、支障箇所判定部１１２によって判定された支障箇所に対応するノードを識別表示してよい。
【００３２】
出力部１１４は、ネットワーク１０を複数のレイヤ別に表示してよく、また、複数のレイヤを重畳させて表示してもよい。複数のレイヤは、例えば、Ｌ２ネットワークレイヤ、Ｌ３ネットワークレイヤ及びＭＰＬＳ（Ｍｕｌｔｉ  Ｐｒｏｔｏｃｏｌ  Ｌａｂｅｌ  Ｓｗｉｔｃｈｉｎｇ）ネットワークレイヤの少なくともいずれかを含む。
【００３３】
出力部１１４は、支障箇所判定部１１２が判定した支障箇所を示す情報を送信出力してもよい。出力部１１４は、例えば、支障箇所判定部１１２が支障箇所を判定した場合に、支障箇所を示すデータを、予め定められた宛先にメール出力する。
【００３４】
メンテナンス情報取得部１１６は、ネットワーク１０内のメンテナンスのスケジュールを示すメンテナンス情報を取得する。メンテナンス情報取得部１１６は、メンテナンス情報管理装置４０からメンテナンス情報を受信してよい。
【００３５】
出力部１１４は、メンテナンス情報取得部１１６が取得したメンテナンス情報に基づいて、支障箇所判定部１１２によって判定された支障箇所を出力するか否かを決定してよい。例えば、出力部１１４は、支障箇所判定部１１２によって判定された支障箇所のうち、メンテナンスによって支障が発生している支障箇所については出力せず、それ以外の支障箇所を出力する。これにより、支障箇所判定部１１２が判定した支障箇所に発生した支障が、予め計画された支障である場合には出力しないようにできる。
【００３６】
また、出力部１１４は、メンテナンス情報取得部１１６が取得したメンテナンス情報に基づいて、支障箇所判定部１１２によって判定された支障箇所の出力態様を決定してよい。例えば、出力部１１４は、支障箇所判定部１１２によって判定された支障箇所のうち、メンテナンスによって支障が発生している支障箇所について、メンテナンス以外によって支障が発生している支障箇所と識別して出力する。具体例として、出力部１１４は、メンテナンスによって支障が発生している支障箇所については、メンテナンスによって支障が発生している旨を示す情報を併せて出力する。これにより、支障箇所判定部１１２が判定した支障箇所に発生した支障が、予め計画された支障であることを、利用者に知得させることができる。
【００３７】
変更情報取得部１１８は、ＬＳＡ取得部１０２が取得したＬＳＡに基づいて、ネットワーク１０内の複数のノードのそれぞれのルーティングに関する設定値の変更情報を取得する。ノードのルーティングに関する設定値とは、例えば、ＯＳＰＦコスト値及びＲＳＶＰ  ＢＷ値等である。
【００３８】
出力部１１４は、変更情報取得部１１８が取得した変更情報を出力してよい。出力部１１４は、例えば、変更情報取得部１１８が取得した変更情報と、支障箇所判定部１１２によって判定された支障箇所とを、合わせて出力する。これにより、ネットワーク１０内に発生した支障と、ネットワーク１０内の複数のノードのそれぞれのルーティングに関する設定値の変更との因果関係を、利用者に把握させることができる。
【００３９】
また、例えば、出力部１１４は、ルーティングに関する設定値が変更されたノードに関連するメンテナンス情報と、変更情報とを合わせて出力する。これにより、実際に変更された変更値が、メンテナンスによって予定されていた変更値と合致するか否かを、利用者に把握させることができる。よって、メンテナンスによる設定値の変更に誤りがあるか否かを認識させることができる。
【００４０】
メンテナンス情報は、複数のノードにおけるルーティングに関する設定値の変更値を含んでよく、出力部１１４は、ルーティングに関する設定値が変更されたノードに関連するメンテナンス情報に含まれる変更値と、変更情報が示す変更値とが一致するか否かに応じて、メンテナンス情報及び変更情報の表示を制御してよい。例えば、出力部１１４は、メンテナンス情報に含まれる変更値と、変更情報が示す変更値とが一致する場合には、メンテナンス情報及び変更情報を出力しない。また、出力部１１４は、メンテナンス情報に含まれる変更値と、変更情報が示す変更値とが一致する場合には、メンテナンス情報及び変更情報に加えて、一致している旨を示す情報を合わせて出力してよい。
【００４１】
図３は、ネットワーク１２の一例を概略的に示す。ネットワーク１２は、ネットワーク１０の一部である。ここでは、ルータＡ２１０が伝送装置４１０及び伝送装置４２０に接続され、ルータＢ２２０及びルータＣ２３０が伝送装置４１０に接続され、伝送装置４１０と伝送装置４３０とが接続され、伝送装置４２０と伝送装置４４０とが接続され、ルータＥ２５０、ルータＦ２６０及びルータＧ２７０が伝送装置４３０に接続され、ルータＤ２４０が伝送装置４４０に接続されている状態を示す。
【００４２】
ルータＡ２１０は、第１ポート２１２、第２ポート２１４、第３ポート２１６及び第４ポート２１８を有する。ルータＢ２２０は、第１ポート２２２を有する。ルータＣ２３０は、第１ポート２３２を有する。ルータＤ２４０は、第１ポート２４２及び第２ポート２４４を有する。ルータＥ２５０は、第１ポート２５２及び第２ポート２５４を有する。ルータＦ２６０は、第１ポート２６２を有する。ルータＧ２７０は、第１ポート２７２を有する。
【００４３】
伝送装置４１０は、第１ポート４１２、第２ポート４１４、第３ポート４１６、第４ポート４１８及び第５ポート４１９を有する。伝送装置４２０は、第１ポート４２２、第２ポート４２４及び第３ポート４２５を有する。伝送装置４３０は、第１ポート４３２、第２ポート４３４、第３ポート４３６、第４ポート４３８及び第５ポート４３９を有する。伝送装置４４０は、第１ポート４４２、第２ポート４４４及び第３ポート４４５を有する。
【００４４】
第１ポート２１２と第１ポート４２２と物理回線３０２を介して接続されており、第２ポート２１４と第２ポート４２４とが物理回線３０４を介して接続されている。また、第３ポート２１６と第１ポート４１２とが物理回線３０６を介して接続されており、第４ポート２１８と第２ポート４１４とが物理回線３０８を介して接続されている。また、第１ポート２２２と第３ポート４１６とが物理回線３１０を介して接続されており、第１ポート２３２と第４ポート４１８とが物理回線３１２を介して接続されている。
【００４５】
また、第５ポート４１９と第５ポート４３９とが物理回線３２４を介して接続されており、第３ポート４２５と第３ポート４４５とが物理回線３２２を介して接続されている。また、第１ポート２４２と第１ポート４４２とが物理回線３３２を介して接続されており、第２ポート２４４と第２ポート４４４とが物理回線３３４を介して接続されている。また、第１ポート２５２と第１ポート４３２とが物理回線３３６を介して接続されており、第２ポート２５４と第２ポート４３４とが物理回線３３８を介して接続されている。また、第１ポート２６２と第３ポート４３６とが物理回線３４０を介して接続されており、第１ポート２７２と第４ポート４３８とが物理回線３４２を介して接続されている。
【００４６】
物理構成情報管理装置３０が管理する物理構成情報は、上述したような、複数のルータと複数の伝送装置との物理的な接続構成を示す。
【００４７】
ここでは、判定装置１００による支障箇所の判定例について、ルータＡ２１０とルータＤ２４０との間、ルータＡ２１０とルータＥ２５０との間、ルータＢ２２０とルータＦ２６０との間、及び、ルータＣ２３０とルータＧ２７０との間に論理回線が形成されている場合を例に挙げて説明する。
【００４８】
ルータＡ２１０とルータＤ２４０との間は、リンクアグリゲーションによって、物理回線３０２及び物理回線３０４と、物理回線３３２及び物理回線３３４とが束ねられた一の論理回線が形成されている。また、ルータＡ２１０とルータＥ２５０との間は、リンクアグリゲーションによって、物理回線３０６及び物理回線３０８と、物理回線３３６及び物理回線３３８とが束ねられた一の論理回線が形成されている。
【００４９】
例えば、伝送装置４１０及び伝送装置４３０の少なくともいずれかが故障した場合、又は、物理回線３２４が切断された場合、まず、論理回線判定部１０４が、ＬＳＡ取得部１０２が取得したＬＳＡを用いて、ルータＡ２１０とルータＥ２５０との間の論理回線、ルータＢ２２０とルータＦ２６０との間の論理回線、及び、ルータＣ２３０とルータＧ２７０との間の論理回線がダウンしたと判定する。次に、設定情報取得部１０６が、ルータＡ２１０、ルータＢ２２０、ルータＣ２３０、ルータＥ２５０、ルータＦ２６０及びルータＧ２７０の設定情報を取得する。
【００５０】
次に、物理回線特定部１０８が、設定情報取得部１０６が取得した設定情報を用いて、ダウンしたと判定された論理回線に対応する物理回線を特定する。物理回線特定部１０８は、ルータＡ２１０の設定情報を参照して、ルータＡ２１０とルータＥ２５０との間の論理回線に対応する物理回線として、第３ポート２１６及び物理回線３０６と、第４ポート２１８及び物理回線３０８とを特定する。また、物理回線特定部１０８は、ルータＢ２２０の設定情報を参照して、ルータＢ２２０とルータＦ２６０との間の論理回線に対応する物理回線として、第１ポート２２２及び物理回線３１０を特定する。また、物理回線特定部１０８は、ルータＣ２３０とルータＧ２７０との間の論理回線に対応する物理回線として、第１ポート２３２及び物理回線３１２を特定する。
【００５１】
また、物理回線特定部１０８は、ルータＥ２５０の設定情報を参照して、ルータＡ２１０とルータＥ２５０との間の論理回線に対応する物理回線として、第１ポート２５２及び物理回線３３６と、第２ポート２５４及び物理回線３３８とを特定する。また、物理回線特定部１０８は、ルータＦ２６０の設定情報を参照して、ルータＢ２２０とルータＦ２６０との間の論理回線に対応する物理回線として、第１ポート２６２及び物理回線３４０を特定する。また、物理回線特定部１０８は、ルータＧ２７０の設定情報を参照して、ルータＣ２３０とルータＧ２７０との間の論理回線に対応する物理回線として、第１ポート２７２及び物理回線３４２を特定する。
【００５２】
そして、支障箇所判定部１１２は、物理回線特定部１０８が特定した物理回線と、物理構成情報管理装置３０から取得した物理構成情報とに基づいて、ネットワーク１２の支障箇所を判定する。支障箇所判定部１１２は、特定された物理回線と、物理構成情報とを用いて、ルータＡ２１０とルータＥ２５０との間の論理回線、ルータＢ２２０とルータＦ２６０との間の論理回線、及び、ルータＣ２３０とルータＧ２７０との間の論理回線の共通箇所が、伝送装置４１０、物理回線３２４及び伝送装置４３０であることを検出する。
【００５３】
また、支障箇所判定部１１２は、伝送装置４１０における、ルータが接続される全てのポートが物理回線特定部１０８によって特定されていることと、伝送装置４３０における、ルータが接続される全てのポートが物理回線特定部１０８によって特定されていることとを検出する。この結果、支障箇所判定部１１２は、第５ポート４１９、物理回線３２４及び第５ポート４３９と、伝送装置４１０及び伝送装置４３０とを支障箇所として判定する。
【００５４】
また、例えば、ルータＡ２１０が備える一の物理構成が第３ポート２１６及び第４ポート２１８のみを有している場合、当該一の物理構成が有する全てのポートが物理回線特定部１０８によって特定されることになるので、支障箇所判定部１１２は、当該一の物理構成を支障箇所として判定する。当該一の物理構成が第１ポート２１２及び第２ポート２１４の少なくとも一方をさらに含み、かつ、論理回線判定部１０４によってルータＡ２１０とルータＤ２４０との間の論理回線がダウンしたと判定されていない場合には、当該一の物理構成が有する全てのポートが物理回線特定部１０８によって特定されることにはならないので、支障箇所判定部１１２は、当該一の物理構成を支障箇所として判定しない。
【００５５】
また、例えば、伝送装置４１０が備える一の物理構成が第１ポート４１２及び第２ポート２１４のみを有している場合、当該一の物理構成が有する全てのポートが物理回線特定部１０８によって特定されることになるので、支障箇所判定部１１２は、当該一の物理構成を支障箇所として判定する。また、例えば、伝送装置４３０が備える一の物理構成が第１ポート４３２及び第２ポート４３４のみを有している場合、当該一の物理構成が有する全てのポートが物理回線特定部１０８によって特定されることになるので、支障箇所判定部１１２は、当該一の物理構成を支障箇所として判定する。また、例えば、ルータＥ２５０が備える一の物理構成が第１ポート２５２及び第２ポート２５４のみを有している場合、当該一の物理構成が有する全てのポートが物理回線特定部１０８によって特定されることになるので、支障箇所判定部１１２は、当該一の物理構成を支障箇所として判定する。
【００５６】
支障箇所判定部１１２は、例えば、論理回線判定部１０４によって、ルータＡ２１０とルータＥ２５０との間の論理回線がダウンしたと判定され、かつ、ルータＢ２２０とルータＦ２６０との間の論理回線がダウンしたと判定されていない場合、第３ポート２１６、第４ポート２１８、物理回線３０６、物理回線３０８、第１ポート４１２、第２ポート４１４、第１ポート４３２、第２ポート４３４、物理回線３３６、物理回線３３８、第１ポート２５２及び第２ポート２５４を支障箇所として判定する。ルータＡ２１０とルータＥ２５０との間の論理回線がダウンしたという事実のみからでは、第５ポート４１９、物理回線３２４及び第５ポート４３９も支障が発生した可能性があることになるが、ルータＢ２２０とルータＦ２６０との間の論理回線がダウンしたと判定されていないことから、支障箇所判定部１１２は、第５ポート４１９、物理回線３２４及び第５ポート４３９を支障箇所の判定結果から除外する。
【００５７】
支障箇所判定部１１２は、伝送装置４１０における第２ポート４１４及び第３ポート４１６を支障箇所として判定した場合、伝送装置４１０における他のポートである第３ポート４１６及び第４ポート４１８を、支障が発生する可能性がある物理回線として判定してよい。このように支障箇所判定部１１２は、一の伝送装置に接続された複数の物理回線のうち一部の物理回線のみが物理回線特定部１０８によって特定された場合、当該一の伝送装置に接続された複数の物理回線のうちの他の物理回線を、支障が発生する可能性がある物理回線として判定してよい。一の伝送装置が有する複数の物理回線のうち一部の物理回線が故障した場合、他の物理回線も故障する蓋然性が高まるが、本実施形態に係る支障箇所判定部１１２によれば、故障する蓋然性が高まった物理回線を、支障が発生する可能性がある物理回線として判定することができる。
【００５８】
図４は、表示画面５００の一例を概略的に示す。表示画面５００は、出力部１１４によって表示出力される画面の一例である。
【００５９】
表示画面５００は、地図画像５１０及び情報ウィンドウ５５０を含む。地図画像５１０には、センター局舎５１２及びサブ局舎５１４が配置される。センター局舎５１２は、配置された都道府県にセンター局舎があることを示す。サブ局舎５１４は、配置された都道府県にサブ局舎があることを示す。センター局舎とは、例えば、特定中継局である。サブ局舎とは、例えば、ＧＣ（Ｇｒｏｕｐ  Ｕｎｉｔ  Ｃｅｎｔｅｒ）局である。なお、ここでは、日本の地図画像５１０を表示した場合を例示しているが、これに限らず、外国の地図画像を表示してもよい。
【００６０】
出力部１１４は、センター局舎５１２及びサブ局舎５１４が選択された場合、センター局舎５１２及びサブ局舎５１４の情報を表示してよい。例えば、出力部１１４は、センター局舎５１２及びサブ局舎５１４に対するマウスオーバーが検出された場合に、マウスオーバーされたセンター局舎５１２及びサブ局舎５１４の局舎名、ホスト名及び支障ポート等を表示する。
【００６１】
出力部１１４は、センター局舎５１２及びサブ局舎５１４のうち、支障箇所判定部１１２によって判定された支障箇所を含むものを、含まないものと識別して表示してよい。これにより、各都道府県において支障が発生しているか否かを容易に利用者に把握させることができる。
【００６２】
情報ウィンドウ５５０には、支障箇所判定部１１２によって判定された支障箇所に関する情報が表示されてよい。例えば、支障箇所判定部１１２によって判定された複数の支障箇所のそれぞれについて、支障が発生した日時、回線ＩＤ、局舎、ホスト、インターフェース、対向局舎、対向ホスト、コスト及びイベントが表示される。情報ウィンドウ５５０には、これらの全てが表示されなくてもよく、また、これら以外の情報が表示されてもよい。
【００６３】
回線ＩＤ欄は、物理回線ＩＤ及び論理回線ＩＤの少なくともいずれかを含む。局舎欄は、局舎名を含む。インターフェース欄は、インターフェース名を含む。対向局舎欄は、対向局舎の局舎名を含む。対向ホスト欄は、対向ホストのホスト名を含む。コスト欄は、現在のＯＳＰＦコスト値を含む。イベント欄は、発生した支障の内容を示す。イベント欄は、ルーティングに関する設定値の変更イベントを示してもよい。イベント欄には、例えば、接続、切断、迂回及び戻し等が含まれる。戻しとは、迂回された後に、迂回しない状態に戻したことを示す。
【００６４】
図５は、表示画面５００の一例を概略的に示す。図５は、地図画像５１０に含まれる複数の都道府県のうちの１つが選択された場合に表示される拡大地図画像５２０を概略的に示す。出力部１１４は、地図画像５１０に含まれる複数の都道府県のうちの１つが選択された場合に、拡大地図画像５２０を表示してよい。また、例えば、出力部１１４は、地図画像５１０に含まれる複数の都道府県のうちの複数が選択された場合には、選択された都道府県を含む拡大地図画像を表示してよい。
【００６５】
拡大地図画像５２０は、支障回線５２２を含む。支障回線５２２は、支障が発生した回線の位置を示す。出力部１１４は、支障が発生した回線を、図５に示すように強調表示してよい。
【００６６】
図６は、表示画面５００の一例を概略的に示す。図６は、拡大地図画像５２０に含まれる支障回線５２２が選択された場合に表示される回線画像５３０を概略的に示す。出力部１１４は、拡大地図画像５２０に含まれる支障回線５２２の選択を検出した場合に、回線画像５３０を表示してよい。
【００６７】
回線画像５３０は、ノード間の複数の回線を示す。出力部１１４は、ノード間の複数の回線のうち、支障が発生している回線を識別表示してよい。また、出力部１１４は、支障が発生している回線の選択を検出した場合に、支障が発生している回線の情報を表示してよい。支障が発生している回線の情報は、ルータ名、ポート名及び回線ＩＤ等を含んでよい。
【００６８】
図７は、判定装置１００による処理の流れの一例を概略的に示す。図７に示す処理は、判定装置１００が、ＬＳＡ受信装置２０からのＬＳＡの送信を待ち受けている状態を開始状態として説明する。図７に示す各処理は、判定装置１００が備える制御部が主体となって実行される。
【００６９】
ステップ７０２（ステップをＳと省略して記載する場合がある。）では、ＬＳＡ取得部１０２が、ＬＳＡ受信装置２０からＬＳＡを受信する。Ｓ７０４では、論理回線判定部１０４が、Ｓ７０２で取得したＬＳＡに基づいて、複数のノードのうちのいずれかの論理回線がダウンしたか否かを判定する。いずれかの論理回線がダウンしたと判定されなかった場合、Ｓ７０２に戻り、判定された場合、Ｓ７０６に進む。
【００７０】
Ｓ７０６では、Ｓ７０２で取得したＬＳＡを用いて、支障箇所判定部１１２が、ネットワーク１０内の物理的な支障箇所を判定する。Ｓ７０８では、メンテナンス情報取得部１１６が、Ｓ７０６で判定された支障箇所に関するメンテナンス情報を取得する。Ｓ７１０では、Ｓ７０６で判定された支障箇所に発生した支障が、メンテナンスによる支障であるか否かを判定する。メンテナンスによる支障であると判定しなかった場合、Ｓ７１２に進み、メンテナンスによる支障であると判定した場合、Ｓ７１４に進む。なお、Ｓ７０８において、Ｓ７０６で判定された支障箇所に関するメンテナンス情報を取得できなかった場合、Ｓ７１２に進んでよい。
【００７１】
Ｓ７１２では、出力部１１４が、Ｓ７０６で判定された支障箇所を出力する。Ｓ７１４では、判定処理の停止指示を受領したか否かを判定する。停止指示を受領したと判定しなかった場合、Ｓ７０２戻り、停止指示を受領したと判定した場合、判定処理を終了する。
【００７２】
図８は、判定装置１００によるさらに詳細な処理の流れの一例を概略的に示す。図８に示す処理は、判定装置１００が、ＬＳＡ受信装置２０からのＬＳＡの送信を待ち受けている状態を開始状態として説明する。図８に示す各処理は、判定装置１００が備える制御部が主体となって実行される。
【００７３】
Ｓ８０２では、ＬＳＡ受信装置２０がキャプチャしたＬｉｎｋ  Ｓｔａｔｅ  Ｕｐｄａｔｅパケットを、ＬＳＡ取得部１０２がＬＳＡ受信装置２０から受信する。Ｓ８０４では、パケットの到着時刻を取得する。ＬＳＡ取得部１０２は、パケットの到着時刻を、イベントの発生時刻として記録してよい。
【００７４】
Ｓ８０６では、論理回線判定部１０４が、Ｓ８０２で取得したパケットから、ＬＳＡ  Ｈｅａｄｅｒを取得する。ＬＳＡ  Ｈｅａｄｅｒは、ＬＳ  Ａｇｅと、ＬＳ  Ｔｙｐｅと、Ｌｉｎｋ  Ｓｔａｔｅ  ＩＤと、Ａｄｖｅｒｔｉｓｉｎｇ  Ｒｏｕｔｅｒとを含む。
【００７５】
Ｓ８０８では、論理回線判定部１０４が、Ｓ８０６で取得したＬＳ  ＴｙｐｅがＲｏｕｔｅｒ−ＬＳＡであるか否かを判定する。Ｓ８０８で、Ｒｏｕｔｅｒ−ＬＳＡであると判定した場合、Ｓ８１０に進み、Ｒｏｕｔｅｒ−ＬＳＡではないと判定した場合、Ｓ８０２に戻る。
【００７６】
Ｓ８１０では、論理回線判定部１０４が、Ｓ８０２で取得されたＬＳＡから、Ｌｉｎｋ  ＩＤと、Ｌｉｎｋ  Ｄａｔａと、Ｔｙｐｅと、ｍｅｔｒｉｃとを取得する。Ｓ８１２では、論理回線判定部１０４が、Ｓ８０６で取得されたＬＳ  Ａｇｅが、ＭＡＸ  ａｇｅと等しいか否かを判定する。等しいと判定した場合、Ｓ８１４に進み、等しくないと判定した場合、Ｓ８１８に進む。
【００７７】
Ｓ８１４では、論理回線判定部１０４が、Ｓ８０２で取得したＬＳＡに対応するノードの全Ｌｉｎｋを「切断」と判定する。ここでいうＬｉｎｋとは、論理回線を示してよい。Ｓ８１６では、論理回線判定部１０４が、判定装置１００の内部記憶から当該ＬＳＡを削除する。
【００７８】
Ｓ８１８では、Ｓ８０２で取得されたＬＳＡに対応するＬＳＡが、内部記憶に存在するか否かを判定する。存在しないと判定した場合、Ｓ８２０に進み、存在すると判定した場合、Ｓ８２４に進む。
【００７９】
Ｓ８２０では、論理回線判定部１０４が、Ｓ８０２で取得されたＬＳＡに対応するノードの全Ｌｉｎｋを「接続」と判定する。Ｓ８２２では、論理回線判定部１０４が、Ｓ８０２で取得したＬＳＡを判定装置１００の内部記憶に記憶する。
【００８０】
Ｓ８２４では、論理回線判定部１０４が、Ｌｉｎｋ  ＩＤを取得する。Ｓ８２６では、Ｓ８２４で取得したＬｉｎｋ  ＩＤが示すＬｉｎｋが、Ｓ８０２で受信した新ＬＳＡのみに存在するか否かを判定する。存在すると判定した場合、Ｓ８２８に進み、存在すると判定されなかった場合、Ｓ８３０に進む。Ｓ８２８では、論理回線判定部１０４が、Ｓ８２４で取得したＬｉｎｋ  ＩＤが示すＬｉｎｋを「接続」と判定する。
【００８１】
Ｓ８３０では、Ｓ８２４で取得したＬｉｎｋ  ＩＤが示すＬｉｎｋが、判定装置１００の内部記憶に存在する旧ＬＳＡのみに存在するか否かを判定する。存在すると判定した場合、Ｓ８３２に進み、存在すると判定しなかった場合、Ｓ８３４に進む。Ｓ８３２では、論理回線判定部１０４が、Ｓ８２４で取得したＬｉｎｋ  ＩＤが示すＬｉｎｋを「切断」と判定する。
【００８２】
Ｓ８３４では、新ＬＳＡのメトリックと、旧ＬＳＡのメトリックとが一致するか否かを判定する。一致すると判定した場合、Ｓ８４２に進み、一致すると判定しなかった場合、Ｓ８３６に進む。
【００８３】
Ｓ８３６では、新ＬＳＡのメトリックが、旧ＬＳＡのメトリックよりも大きいか否かを判定する。大きいと判定した場合、Ｓ８３８に進み、大きいと判定しなかった場合、Ｓ８４０に進む。Ｓ８３８では、Ｓ８２４で取得したＬｉｎｋ  ＩＤが示すＬｉｎｋを「迂回」と判定する。Ｓ８４０では、Ｓ８２４で取得したＬｉｎｋ  ＩＤが示すＬｉｎｋを「戻し」と判定する。
【００８４】
Ｓ８４２では、全Ｌｉｎｋについて判定が終了したか否かを判定する。全Ｌｉｎｋについて判定が終了したと判定されなかった場合、Ｓ８２４に戻り、判定された場合、Ｓ８４４に進む。Ｓ８４４では、論理回線判定部１０４が、判定装置１００の内部記憶のＬＳＡを更新する。
【００８５】
Ｓ８４６では、判定処理の停止指示を受領したか否かを判定する。停止指示を受領したと判定しなかった場合、Ｓ８０２戻り、停止指示を受領したと判定した場合、判定処理を終了する。
【００８６】
なお、図８では、ＬＳ  ＴｙｐｅがＲｏｕｔｅｒ−ＬＳＡである場合の判定処理について主に説明したが、ＬＳ  ＴｙｐｅがＴｙｐｅ−１０  Ｏｐａｑｕｅ−ＬＳＡである場合も、同様に判定処理を実行してよい。ＬＳ  ＴｙｐｅがＴｙｐｅ−１０  Ｏｐａｑｕｅ−ＬＳＡである場合は、ＴＬＶ  Ｔｙｐｅが２の場合のみ、Ｌｉｎｋ  ＩＤ、Ｌｏｃａｌ  Ｉｎｔｅｒｆａｃｅ  ＩＰ  Ａｄｄｒｅｓｓ及びＭａｘｉｍｕｍ  ｒｅｓｅｒｖａｂｌｅ  ｂａｎｄｗｉｄｔｈを取得して、図８に示す処理の流れと同様に判定処理を実行してよい。
【００８７】
以上の説明において、判定装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、判定装置１００として機能してもよい。プログラムは、コンピュータ読み取り可能な媒体又はネットワークに接続された記憶装置から、判定装置１００の少なくとも一部を構成するコンピュータにインストールされてよい。
【００８８】
コンピュータにインストールされ、コンピュータを本実施形態に係る判定装置１００として機能させるプログラムは、ＣＰＵ等に働きかけて、コンピュータを、判定装置１００の各部としてそれぞれ機能させる。これらのプログラムに記述された情報処理は、コンピュータに読込まれることにより、ソフトウエアと判定装置１００のハードウエア資源とが協働した具体的手段として機能する。
【００８９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９０】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００９１】
１０  ネットワーク、１２  ネットワーク、２０  ＬＳＡ受信装置、３０  物理構成情報管理装置、４０  メンテナンス情報管理装置、１００  判定装置、１０２  ＬＳＡ取得部、１０４  論理回線判定部、１０６  設定情報取得部、１０８  物理回線特定部、１１０  物理構成情報取得部、１１２  支障箇所判定部、１１４  出力部、１１６  メンテナンス情報取得部、１１８  変更情報取得部、２１０  ルータＡ、２１２  第１ポート、２１４  第２ポート、２１６  第３ポート、２１８  第４ポート、２２０  ルータＢ、２２２  第１ポート、２３０  ルータＣ、２３２  第１ポート、２４０  ルータＤ、２４２  第１ポート、２４４  第２ポート、２５０  ルータＥ、２５２  第１ポート、２５４  第２ポート、２６０  ルータＦ、２６２  第１ポート、２７０  ルータＧ、２７２  第１ポート、３０２  物理回線、３０４  物理回線、３０６  物理回線、３０８  物理回線、３１０  物理回線、３１２  物理回線、３２２  物理回線、３２４  物理回線、３３２  物理回線、３３４  物理回線、３３６  物理回線、３３８  物理回線、３４０  物理回線、３４２  物理回線、４１０  伝送装置、４１２  第１ポート、４１４  第２ポート、４１６  第３ポート、４１８  第４ポート、４１９  第５ポート、４２０  伝送装置、４２２  第１ポート、４２４  第２ポート、４２５  第３ポート、４３０  伝送装置、４３２  第１ポート、４３４  第２ポート、４３６  第３ポート、４３８  第４ポート、４３９  第５ポート、４４０  伝送装置、４４２  第１ポート、４４４  第２ポート、４４５  第３ポート、５００  表示画面、５１０  地図画像、５１２  センター局舎、５１４  サブ局舎、５２０  拡大地図画像、５２２  支障回線、５３０  回線画像、５５０  情報ウィンドウ
【図１】
0006310419.tif 000002
【図２】
0006310419.tif 000003
【図３】
0006310419.tif 000004
【図４】
0006310419.tif 000005
【図５】
0006310419.tif 000006
【図６】
0006310419.tif 000007
【図７】
0006310419.tif 000008
【図８】
0006310419.tif 000009